(57)【要約】【課題】脱着が容易であると共に画像形成装置本体のトナー補給容器収納部に製造上の誤差があっても確実に固定でき、一度装着したら容易に外れず、かつ、再使用が可能な画像形成装置におけるトナー補給容器を安価に提供することが課題である。【解決手段】トナー補給容器に、少なくともトナー補給容器の画像形成装置への収納方向とは異なる２軸方向に自由度を有し、画像形成装置本体側に設けられた嵌合部に填め合わせて固定できるようにしたロック機構を設けた。【選択図】      図４
2004347970.tif 000002
【特許請求の範囲】
【請求項１】
画像形成装置における現像装置へ補給するトナーを収容した容器本体を、長手方向両側に対応して画像形成装置本体側に設けられた装着部に沿い、上方から着脱可能に装着できるよう構成したトナー補給容器であって、
少なくとも前記画像形成装置への装着方向とは異なる２軸方向に自由度を有し、前記画像形成装置本体側の装着部に設けられた嵌合部に填め合わせて前記トナー補給容器を固定できるようにした嵌合部材を有することを特徴とする画像形成装置におけるトナー補給容器。
【請求項２】
前記嵌合部材は、前記トナー補給容器に設けられた嵌合部材保持部に、少なくとも前記トナー補給容器の画像形成装置への収納方向とは異なる１軸方向に自由度を有して嵌合されていることを特徴とする請求項１に記載した画像形成装置におけるトナー補給容器。
【請求項３】
前記嵌合部材は、前記画像形成装置本体側装着部の嵌合部に設けられた係止部に係止され、前記トナー補給容器の他端を持ち上げることで係止が外れる係止つめを有することを特徴とする請求項１に記載した画像形成装置におけるトナー補給容器。
【請求項４】
前記嵌合部材は圧入部を有し、前記嵌合部材保持部に設けられた圧入部保持部で該圧入部を保持して前記嵌合部材保持部に遊嵌されていることを特徴とする請求項２に記載した画像形成装置におけるトナー補給容器。
【請求項５】
前記嵌合部材は内側に、前記嵌合部材保持部に設けられた嵌合部材係止つめを乗り越えて前記嵌合部材を遊嵌させる係止つめを有することを特徴とする請求項２に記載した画像形成装置におけるトナー補給容器。
【請求項６】
前記嵌合部材は、前記トナー収容容器本体と同一樹脂部材で作成されていることを特徴とする請求項１に記載した画像形成装置におけるトナー補給容器。
【発明の詳細な説明】
【０００１】
【発明の属する技術分野】
本発明は電子写真方式を用いた複写機、プリンタ、ファクシミリ、それらの複合機などの画像形成装置における現像装置にトナーを補給するトナー補給容器に関し、特に、画像形成装置本体への脱着が容易で、かつ、確実に装着できるようにした画像形成装置におけるトナー補給容器に関するものである。
【０００２】
【従来の技術】
画像形成装置においては、画像の形成によってトナーが消費されるため、トナーを現像装置に補給するためのトナー補給容器が用いられる。このトナー補給容器は、画像形成装置本体側のトナー受け入れ容器に一度に全量を補給する所謂一括補給型容器と、画像形成装置本体に容器を装着後、そのまま据え置いてトナーを逐次補給する所謂据え置き型容器とに大別される。このうち、一括補給型容器は画像形成装置本体側のトナー受け入れ容器の容量を補給容器の容量より大きくする必要があるため、画像形成装置のコンパクト化に伴なって据え置き型トナー補給容器が使用される傾向にあり、特にカラー画像形成装置においては、４色のトナー容器が必要なために据え置き型のトナー補給容器が使用されることが多くなっている。
【０００３】
しかしながら据え置き型トナー補給容器は、トナーを使い切るまで逐次トナーを補給できるようにするため現像装置へのトナー供給口を開いたままとする必要があり、その状態で容器が外れたりするとトナーが漏れ、画像形成装置本体内部や画像を転写した記録媒体を汚染するという事故が発生する。そのため据え置き型トナー補給容器は、脱着が容易であると共に一度装着したら容易に外れたりしないような構造にする必要があり、また、環境問題のため、再使用が可能なように構成すると共に廃棄する場合、分別に余計な手間がかからないよう構成することも望まれている。またこの据え置き型トナー補給容器は、画像形成装置本体側に製造上の誤差があっても、容易に、確実に脱着できなければならない。
【０００４】
こういったトナー補給容器の脱着構造については、例えば特許文献１に、トナー搬送スクリューを回転駆動するスクリュー駆動ギヤの回転部分に形成された係止部と、この係止部に係止可能な突起部が形成された回動可能なロックレバー部と、ロックレバー部の突起部が係止部に係止されるようロックレバー部を付勢する付勢バネ部とを備え、トナー補給容器の画像形成装置本体への装着前や取り外し後は、付勢バネ部でロックレバー部の突起部を係止部に係止させることによってトナー搬送スクリューをロックし、また、画像形成装置本体への装着時には、本体側に設けられたロックレバー押上げ部でロックレバー部の突起部を付勢バネ部に逆らって係止部から外してロックを解除するようにし、画像形成装置本体にトナー補給容器を装着する前や取り外した後、トナー搬送スクリューの回転駆動部をロックするロック手段を備え、トナーの漏出を防止する機構を備えたトナー補給容器が提案されている。
【０００５】
【特許文献１】
特開平５−２４９８２０号公報
【０００６】
【発明が解決しようとする課題】
しかしながら上記特許文献１に記載されたトナー補給容器は、ロックレバー部を付勢するために別部材である付勢バネ部、具体的には金属製の引張コイルばねを必要とし、部品点数が多くなってコストアップとなる。また、引張コイルばねは金属製であり、トナー補給容器の廃棄を行う場合には分別が必要になるという問題もある。また、カラー画像形成装置においては４色のトナーが必要なため、ロック機構が大型だと画像形成装置本体のコンパクト化が難しくなるという問題もある。
【０００７】
そのため本発明においては、脱着が容易であると共に画像形成装置本体のトナー補給容器収納部に製造上の誤差があっても確実に固定でき、一度装着したら容易に外れず、かつ、再使用が可能で廃棄するときも余計なコストのかからない画像形成装置におけるトナー補給容器を安価に提供することが課題である。
【０００８】
【課題を解決するための手段】
そのため本発明においては、
画像形成装置における現像装置へ補給するトナーを収容した容器本体を、長手方向両側に対応して画像形成装置本体側に設けられた装着部に沿い、上方から着脱可能に装着できるよう構成したトナー補給容器であって、
少なくとも画像形成装置への装着方向とは異なる２軸方向に自由度を有し、前記画像形成装置本体側の装着部に設けられた嵌合部に填め合わせてトナー補給容器を固定できるようにした嵌合部材を有することを特徴とする。
【０００９】
このようにトナー補給容器に、画像形成装置への収納方向とは異なる２軸方向に自由度を有する嵌合部材によって画像形成装置本体側の装着部に設けられた嵌合部に填め合わせ、トナー補給容器を固定できるようにすることにより、画像形成装置本体のトナー補給容器収納部に製造上の誤差があっても、嵌合部材が有するトナー補給容器の収納方向とは異なる２軸方向の自由度によって容易に嵌合部材を嵌合部に填め合わせ、トナー補給容器を確実に固定することができる。
【００１０】
そして前記嵌合部材は、前記トナー補給容器に設けられた嵌合部材保持部に、少なくともトナー補給容器の画像形成装置への収納方向とは異なる１軸方向に自由度を有して嵌合させることにより、この嵌合部材が破損したとしても新たな嵌合部材を用いてトナー補給容器そのものは再使用することができ、経済性に優れたトナー補給容器を提供することができる。
【００１１】
また前記嵌合部材は、前記画像形成装置本体側装着部の嵌合部に設けられた係止部に係止され、トナー補給容器の他端を持ち上げることで係止が外れる係止つめを有することにより、トナー補給容器を上方から挿入すれば、画像形成装置本体側の嵌合部に設けられた係止部で嵌合部材の係止つめが係止されて確実にトナー補給容器が固定され、他端を持ち上げるだけで取り外しを容易に行うことができるトナー補給容器を提供することができる。
【００１２】
そして前記嵌合部材は圧入部を有し、前記嵌合部材保持部に設けられた圧入部保持部で該圧入部を保持して前記嵌合部材保持部に遊嵌されるようにすることにより、画像形成装置本体のトナー補給容器収納部に製造上の誤差があっても容易に嵌合部材を嵌合部に填め合わせ、トナー補給容器を確実に固定することができる。
【００１３】
さらに前記嵌合部材は内側に、前記嵌合部材保持部に設けられた嵌合部材係止つめを乗り越えて嵌合部材を遊嵌させる係止つめを有することで簡単な構成で嵌合部材を遊嵌させることができる。
【００１４】
また前記嵌合部材は、前記トナー収容容器本体と同一樹脂部材で作成することにより、廃棄する場合でも分解して金属部分を取り除くといったことが不用となり、廃棄コストもかからない画像形成装置におけるトナー補給容器を提供することができる。
【００１５】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１６】
図１は本発明に係る画像形成装置本体のトナー補給容器における１実施例の外観図、図２は本発明に係るトナー補給容器におけるロック機構の概略斜視図、図３は本発明に係るトナー補給容器におけるロック機構を構成する嵌合部材を単独で示した斜視図（Ａ）と内部を示した図（Ｂ）、（Ｃ）、図４は本発明に係るトナー補給容器におけるロック機構を構成する嵌合部材を容器側に設けた嵌合部材保持具に取り付けた状態の断面図、図５は本発明に係るトナー補給容器におけるロック機構を構成する嵌合部材のみの画像形成装置本体側嵌合部への嵌合状態を示した図、図６は画像形成装置本体側のトナー補給容器収納部に製造上の誤差が有る場合のロック機構との係合状態の説明図、図７はロック機構における嵌合部材を嵌合させるために画像形成装置本体に設けられた案内溝の斜視図、図８は本発明に係るトナー補給容器におけるロック機構とは逆側の端を収容する画像形成装置本体装着部の概略斜視図、図９は本発明に係るトナー補給容器を画像形成装置本体へ装着する方法の説明図、図１０は本発明に係るトナー補給容器が装着された現像装置を備えているタンデム型カラー画像形成装置の概略構成断面図である。
【００１７】
図中１は本発明に係る画像形成装置におけるトナー補給容器、２はトナー補給容器１のトナー収容部、３はトナー補給容器１におけるトナー搬送部材へ駆動力を伝達するギア、４はトナー補給容器１におけるトナー供給口ロック機構におけるロック解除レバー、５は本発明に係るトナー補給容器１のロック機構、６はロック機構における画像形成装置本体への嵌合部材、７はロック機構における画像形成装置本体側の案内溝２０に挿入する案内兼支点部材、８は嵌合部材６における案内兼支点部材７の圧入部保持部１０へ圧入するための圧入部、９は画像形成装置本体側の案内溝２０に設けられた係止部２１と係合して嵌合部材６を固定するための係止つめであり、押圧されることによって嵌合部材６と共に内側に撓む構造となっている。１１は案内兼支点部材７の嵌合部材保持部１３に設けられた嵌合部材係止つめ１４と係合し、この嵌合部材６が嵌合部材保持部１３から抜けないようにする嵌合部材６の内側に設けられた係止つめで、この係止つめ１１と嵌合部材係止つめ１４とは、嵌合部材６が嵌合部材保持部１３へ挿入されたとき、若干の間隔が生じるような位置関係で設けられている。１２はトナー補給容器１へのトナー補給用の開口を閉じている蓋であり、トナーをトナー補給容器１に充填後、図示のようにトナー補給容器１へのトナー補給用の開口に嵌合される。１３は案内兼支点部材７に設けられた嵌合部材保持部、１４は嵌合部材保持部１３に設けられた嵌合部材係止つめで、嵌合部材保持部１３に嵌合部材６を嵌合させるとき、嵌合部材６の内側に設けられた係止つめ１１がこの嵌合部材係止つめ１４を乗り越えて嵌合部材６を遊嵌させる。１５は嵌合部材６のくびれ部、１６はその内側が嵌合部材保持部１３の幅、長さより若干大きく形成されて内部に係止つめ１１を有する嵌合部材本体、２０は画像形成装置本体側の嵌合部材６と案内兼支点部材７の案内溝、２１は嵌合部材６の外側に設けられた係止つめ９が係止されてトナー補給容器１を固定するための係止部、２５はトナー補給容器１の画像形成装置本体への装着方向、２６はトナー補給容器１の画像形成装置本体への装着方向２５とは異なる２軸方向の自由度を示す矢印である。なお、このうちトナー補給容器本体１と嵌合部材６とは、金属などを用いずに同一の樹脂部材で作成し、廃棄する場合でも分解して金属部分を取り除くといったことを不用として、廃棄コストがかからないようにしてある。
【００１８】
２００は画像形成装置本体、２０２はブラック用プロセスユニット、２０４はシアン用プロセスユニット、２０６はマゼンタ用プロセスユニット、２０８はイエロー用プロセスユニット、２１０は感光体ドラム、２１２は帯電器、２１４はＬＥＤヘッドなどで構成された露光手段、２１６は現像装置、２１８は転写装置、２２０はクリーニング装置、２２２は搬送ベルト機構、２２４は給紙カセット、２３０はトナー補給容器１におけるロック機構とは逆側の端を収容する画像形成装置本体２００の装着部、２３２は装着部２３０の上面、２３４はトナー補給容器１におけるトナー供給口ロック機構のロック機構解除用押し上げ突起、２３６はトナー補給容器１におけるトナー搬送部材へ駆動力を伝達するギア３へ駆動力を伝達するギアである。
【００１９】
最初に図１０を用い、本発明に係るトナー補給容器を装着した現像装置を備えた画像形成装置の構成を、一例としてタンデム型カラー画像形成装置の場合を例に説明する。図示のタンデム型カラー画像形成装置は、ほぼ直方体形状の画像形成装置本体２００を備え、ブラック用プロセスユニット２０２、シアン用プロセスユニット２０４、マゼンタ用プロセスユニット２０６、及びイエロー用プロセスユニット２０８が、図１０において左から右に向かってこの順に配列されている。これらのプロセスユニット２０２、２０４、２０６及び２０８は、それぞれ、感光体ドラム２１０、帯電器２１２、ＬＥＤヘッドなどで構成された露光手段２１４、現像装置２１６、転写装置２１８、クリーニング装置２２０などの作像エレメントを備えている。なお図１においては、図示の簡略化のため、上記作像エレメントの符号はブラック用プロセスユニット２０２のみに付してある。各プロセスユニット２０２、２０４、２０６、及び２０８の現像装置２１６には、それぞれ、対応する色のトナーを補給するためのトナー補給容器１が装着されている。プロセスユニット２０２、２０４、２０６、及び２０８の下側には、搬送ベルト機構２２２が配設されていて、その下方に配置された給紙カセット２２４から送り出された記録紙を、感光体ドラム２１０と転写装置２１８との間を通して搬送し、各プロセスユニットで形成されたトナー画像を転写して定着装置２２６で定着した後排紙する。なお、このようなタンデム型カラー画像形成装置の構成は周知の構成を利用することでよく、本発明の特徴をなすものではないので更なる説明は省略する。
【００２０】
次に、本発明に係る画像形成装置におけるトナー補給容器１について詳細に説明する。図１は本発明に係る画像形成装置本体のトナー補給容器における１実施例の外観図であり、このトナー補給容器１は、トナー収容部２、トナー補給容器１におけるトナー搬送部材へ駆動力を伝達するギア３、トナー補給容器１におけるトナー供給口ロック機構におけるロック解除レバー４、本発明に係るトナー補給容器１のロック機構５などを備え、図９に示したように、トナー補給容器１の長手方向両側に対応して画像形成装置本体２００側に設けられた装着部２３０、案内溝２０（図９には図示せず、図８、図７参照）に沿わせ、矢印２５方向へ上方から着脱可能に装着できるようになっていると共に、この装着方向２５とは異なる２６で示した２軸方向にある程度の自由度（遊び）を有しながら装着できるようになっている。そしてこのトナー補給容器１の図１における右側には、現像装置２１６へトナーを供給する供給口へトナーを搬送する図示しない搬送部材へ駆動力を伝達するギア３とロック機構が設けられ、このトナー補給容器１を図８に示した装着部２３０に装着すると、トナー供給口のロック機構解除用押し上げ突起２３４によってトナー供給口のロックを解除することが可能となり、ロック解除レバー４を図１の奥側に倒すことによって、図示しないトナー供給口を開くことができ、さらにトナー補給容器への駆動力伝達用ギア２３６によって、ギア３に駆動力が伝えられてトナーがトナー供給口に搬送されるように構成されている。
【００２１】
一方図１における左側には、このトナー補給容器１を画像形成装置本体２００に装着したとき、トナー補給容器１を固定するため、図２〜図４に示したようなロック機構５が設けられている。このロック機構５は、トナー補給容器１側に設けられた圧入部保持部１０、嵌合部材係止つめ１４を有した嵌合部材保持部１３などで構成される案内兼支点部材７の圧入部保持部１０に、図３に示したような嵌合部材６の圧入部８を入れ、さらにその内側が図４（Ｂ）に示したように、嵌合部材保持部１３の幅、長さより若干大きく形成されて内部に係止つめ１１を有する嵌合部材本体１６を、内部に設けられた係止つめ１１が嵌合部材保持部１３に設けられた嵌合部材係止つめ１４を乗り越えるよう押し込んで嵌合させ、圧入部８とくびれ部１５によって、この嵌合部材６がトナー補給容器１の画像形成装置への装着方向とは異なる２軸方向、すなわちトナー補給容器１の長手方向とその長手方向に直角な方向にある程度自由に動けるようにして構成されている。
【００２２】
また画像形成装置本体２００側には、このロック機構５を受けるため、図７に示したような係止部２１を有して嵌合部材６と案内兼支点部材７を案内し、嵌合部材６を係止部２１で係止させる嵌合部を有する案内溝２０が設けられている。そしてこの案内溝２０の上部の幅Ｌ１は、嵌合部材本体１６に設けられた係止つめ９を含めた嵌合部材本体１６の幅と同じか多少広幅とされ、係止部２１の直上部では、Ｌ１より狭く、係止爪９を含む嵌合部材本体１６の幅より多少狭くなっていて、その下部の嵌合部の幅Ｌ２は、嵌合部材６の嵌合部材本体１６と略等幅とされている。
【００２３】
このような構成のロック機構５を有するトナー補給容器１を、図９に示したように画像形成装置本体２００に上から装着すると、トナー補給容器１の図１における右側では、図８に示した装着部２３０に設けられたロック機構解除用押し上げ突起２３４によってトナー供給口のロックを解除することが可能となり、さらにトナー補給容器への駆動力伝達用ギア２３６によってギア３に駆動力が伝えられ、トナー補給容器１内のトナーをトナー供給口に搬送することが可能となる。また、トナー補給容器１の図１における左側では、トナー補給容器１を画像形成装置本体２００に装着する際、ロック機構５における嵌合部材６と案内兼支点部材７を案内溝２０に沿って挿入すると、案内溝２０の係止部２１の直上の幅は、係止つめ９を含む嵌合部材本体１６の幅より多少狭くなっているので、さらに嵌合部材本体１６を挿入すると、係止つめ９は押圧されることによって嵌合部材６と共に内側に撓む。係止つめ９が係止部２１に達するまでトナー補給容器１が挿入されると、係止爪９は押圧が解除されて係止部２１の幅方向に広がり、トナー補給容器１は固定される。
【００２４】
このトナー補給容器１を、画像形成装置本体２００に装着したときのロック機構５における嵌合部材６のみの状態を示したのが図５であり、図５（Ａ）は嵌合部材６側から見た図、図５（Ｂ）は横から見た図である。すなわち嵌合部材６は、図５（Ａ）のように画像形成装置本体２００の案内溝２０における下部の装着部に収まったとき、図５（Ｂ）のように係止つめ９が案内溝２０に設けられた係止部２１によって係止されて上側に抜けないようにされている。
【００２５】
また本発明に係るトナー補給容器１のロック機構５を構成する嵌合部材６は、前記し、図４（Ｂ）に示したように嵌合部材本体１６の内側が嵌合部材保持部１３の幅、長さより若干大きく形成されており、さらに嵌合部材６の内側に設けられた係止つめ１１と嵌合部材保持部１３の嵌合部材係止つめ１４とは、嵌合部材６が嵌合部材保持部１３へ挿入されたとき、若干の間隔が生じるような位置関係で設けられているから、トナー補給容器１の収納方向とは異なる２軸方向にある程度自由に動かすことができる。そのため、画像形成装置本体２００におけるトナー補給容器１の収納部に製造上の誤差があっても、嵌合部材６のくびれ部１５によって嵌合部材６のトナー補給容器１の長手方向への揺動が可能となり、また、同様にくびれ部１５によって長手方向と直角な方向へのズレも吸収できる。すなわち図６（Ａ）、（Ｂ）に示したように、画像形成装置本体２００におけるトナー補給容器１の収納部に製造上の誤差によってトナー補給容器１と収納部の案内溝２０との間隔が異なっても、嵌合部材６は問題なく案内溝２０の嵌合部に収納することができる。
【００２６】
そして、このようにして画像形成装置本体２００に装着したトナー補給容器１を取り外すときは、図１における右側に設けられたトナー供給口ロック解除レバー４によってトナー供給口をロックし、右側を持ち上げると、図６に示した案内兼支点部材７における画像形成装置本体２００側の案内溝２０に接触した部分を支点とし、図上上側の斜めになった部分が案内溝２０に当たるまで傾き、その時に嵌合部材本体１６に設けられた係止つめ９が案内溝２０の係止部２１から外れる。そのためトナー補給容器１は、容易に取り外すことが可能となる。またこの嵌合部材６は、嵌合部材保持部１３の嵌合部材係止つめ１４を係止つめ１１が乗り越えるよう、ドライバーなどで嵌合部材本体１６の内側を広げることによって容易に取り外すことができる。
【００２７】
このようにトナー補給容器１のロック機構５を構成することにより、例えば嵌合部材６が壊れても交換が容易であり、そのためトナー補給容器１の本体部分は再使用が可能となる。また廃棄する場合も、嵌合部材６をトナー補給容器１の材料と同じ材料で構成することで、従来装置などのように金属部分を分別するなどの必要がなく、廃棄も容易に行うことができる。
【００２８】
【発明の効果】
以上種々述べてきたように、トナー補給容器に、画像形成装置への収納方向とは異なる２軸方向に自由度を有する嵌合部材によって画像形成装置本体側の案内部に設けられた嵌合部に填め合わせ、トナー補給容器を固定できるようにすることにより、画像形成装置本体のトナー補給容器収納部に製造上の誤差があっても、嵌合部材が有するトナー補給容器の収納方向とは異なる２軸方向の自由度によって容易に嵌合部材を嵌合部に填め合わせ、トナー補給容器を確実に固定することができる。
【００２９】
そして前記嵌合部材は、トナー補給容器に設けられた嵌合部材保持部に、少なくともトナー補給容器の画像形成装置への収納方向とは異なる１軸方向に自由度を有して嵌合させることにより、この嵌合部材が破損したとしても新たな嵌合部材を用いてトナー補給容器そのものは再使用することができ、経済性に優れたトナー補給容器を提供することができる。
【００３０】
また嵌合部材は、画像形成装置本体側装着部の嵌合部に設けられた係止部に係止され、トナー補給容器の他端を持ち上げることで係止が外れる係止つめを有することにより、トナー補給容器を上方から挿入すれば、画像形成装置本体側の嵌合部に設けられた係止部で嵌合部材の係止つめが係止されて確実にトナー補給容器が固定され、他端を持ち上げるだけで取り外しを容易に行うことができるトナー補給容器を提供することができる。
【００３１】
そして嵌合部材に圧入部を設け、嵌合部材保持部に設けられた圧入部保持部で圧入部を保持して嵌合部材保持部に遊嵌させることにより、画像形成装置本体のトナー補給容器収納部に製造上の誤差があっても容易に嵌合部材を嵌合部に填め合わせ、トナー補給容器を確実に固定することができる。
【００３２】
さらに嵌合部材は内側に、嵌合部材保持部に設けられた嵌合部材係止つめを乗り越えて嵌合部材を遊嵌させる係止つめを有することで簡単な構成で嵌合部材を遊嵌させることができる。
【００３３】
また前記嵌合部材は、前記トナー収容容器本体と同一材料で作成することにより、廃棄する場合でも分解して金属部分を取り除くといったことが不用となり、廃棄コストもかからない画像形成装置におけるトナー補給容器を提供することができる。
【図面の簡単な説明】
【図１】本発明に係る画像形成装置本体のトナー補給容器における１実施例の外観図である。
【図２】本発明に係るトナー補給容器におけるロック機構の概略斜視図である。
【図３】本発明に係るトナー補給容器におけるロック機構を構成する嵌合部材を単独で示した斜視図（Ａ）と内部を示した図（Ｂ）、（Ｃ）である。
【図４】本発明に係るトナー補給容器におけるロック機構を構成する嵌合部材を容器側に設けた嵌合部材保持具に取り付けた状態の断面図である。
【図５】本発明に係るトナー補給容器におけるロック機構を構成する嵌合部材のみの画像形成装置本体側嵌合部への嵌合状態を示した図である。
【図６】画像形成装置本体側のトナー補給容器収納部に製造上の誤差が有る場合のロック機構との係合状態の説明図である。
【図７】ロック機構における嵌合部材を嵌合させるために画像形成装置本体に設けられた案内溝の斜視図である。
【図８】本発明に係るトナー補給容器におけるロック機構とは逆側の端を収容する画像形成装置本体装着部の概略斜視図である。
【図９】本発明に係るトナー補給容器を画像形成装置本体へ装着する方法の説明図である。
【図１０】本発明に係るトナー補給容器が装着された現像装置を備えているタンデム型カラー画像形成装置の概略構成断面図である。
【符号の説明】
１  トナー補給容器
２  トナー収容部
５  ロック機構
６  嵌合部材
７  案内兼支点部材
８  圧入部
９  係止つめ
１０  圧入部保持部
１１  係止つめ
１２  トナー供給口
１３  嵌合部材保持部
１４  嵌合部材係止つめ
【図１】
2004347970.tif 000003
【図２】
2004347970.tif 000004
【図３】
2004347970.tif 000005
【図４】
2004347970.tif 000006
【図５】
2004347970.tif 000007
【図６】
2004347970.tif 000008
【図７】
2004347970.tif 000009
【図８】
2004347970.tif 000010
【図９】
2004347970.tif 000011
【図１０】
2004347970.tif 000012